【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】
光源手段と、前記光源手段から出射した光束を副走査断面内において光偏向器の偏向面に対して斜め方向から入射させる入射光学系と、前記光偏向器の偏向面にて偏向された光束を被走査面上に結像させる結像光学系と、を有する光走査装置であって、
前記結像光学系により前記被走査面上に結像されるスポットの有効走査領域内におけるピーク光量値の最大値と最小値を各々ＥMAX 、ＥMIN としたとき、
【数１】
2001215421.tif 000001
なる条件を満足するように、前記光偏向器の偏向面にて偏向された光束の主走査方向の２本のマージナル光線の前記被走査面上における副走査方向の入射点の差をΔｓ、前記被走査面上に結像されるスポットの副走査方向のピーク光量に対して１／ｅ2 となる径をＤｓとしたとき、
【数２】
2001215421.tif 000002
なる条件を満足することを特徴とする光走査装置。
【請求項２】
前記光偏向器の偏向面にて偏向された光束の主走査方向の光束幅をｄ、前記入射光学系からの光束が副走査断面内において前記光偏向器の偏向面に対して斜め方向から入射する角度をα、前記光偏向器の偏向面にて偏向された光束の主走査断面内にて定義される走査角度をθ、前記結像光学系の副走査方向の横倍率をβとしたとき、
【数３】
2001215421.tif 000003
なる条件を満足することを特徴とする請求項１記載の光走査装置。
【請求項３】
前記結像光学系を構成するレンズ面のうち少なくとも１つのレンズ面の副走査断面内における光軸は、有効走査領域の中心位置に向かう前記偏向面で反射偏向された光束の中心軸に対して副走査方向にシフトして配置されていることを特徴とする請求項１又は２記載の光走査装置。
【請求項４】
前記結像光学系を構成するレンズ面のうち少なくとも１つのレンズ面の副走査断面内における光軸は、有効走査領域の中心位置に向かう前記偏向面で反射偏向された光束の中心軸に対して副走査方向に傾いて配置されていることを特徴とする請求項１乃至３の何れか一項記載の光走査装置。
【請求項５】
前記結像光学系を構成するレンズ面のうち少なくとも１つのレンズ面の副走査断面内の曲率半径が前記結像光学系の光軸から主走査方向に離れるに従って連続的に変化していることを特徴とする請求項１乃至４の何れか一項記載の光走査装置。
【請求項６】
前記光源手段は、複数の光束を出射する複数の発光部を有することを特徴とする請求項１乃至５の何れか一項記載の光走査装置。
【請求項７】
請求項１乃至６の何れか一項記載の光走査装置と、前記光走査装置の被走査面に配置された感光ドラムと、前記感光ドラム上を光束が走査することによって形成された静電潜像をトナー像として現像する現像手段と、前記現像されたトナー像を用紙に転写する転写手段と、転写されたトナー像を用紙に定着させる定着手段と、を備えたことを特徴とする画像形成装置。
【手続補正２】
【補正対象書類名】明細書
【補正対象項目名】００２６
【補正方法】変更
【補正の内容】
【００２６】
【課題を解決するための手段】
請求項１の発明の光走査装置は、
光源手段と、前記光源手段から出射した光束を副走査断面内において光偏向器の偏向面に対して斜め方向から入射させる入射光学系と、前記光偏向器の偏向面にて偏向された光束を被走査面上に結像させる結像光学系と、を有する光走査装置であって、
前記結像光学系により前記被走査面上に結像されるスポットの有効走査領域内におけるピーク光量値の最大値と最小値を各々ＥMAX 、ＥMIN としたとき、
【数４】
2001215421.tif 000004
なる条件を満足するように、前記光偏向器の偏向面にて偏向された光束の主走査方向の２本のマージナル光線の前記被走査面上における副走査方向の入射点の差をΔｓ、前記被走査面上に結像されるスポットの副走査方向のピーク光量に対して１／ｅ2 となる径をＤｓとしたとき、
【数５】
2001215421.tif 000005
なる条件を満足することを特徴としている。
【手続補正３】
【補正対象書類名】明細書
【補正対象項目名】００２７
【補正方法】変更
【補正の内容】
【００２７】
請求項２の発明は請求項１の発明において、前記光偏向器の偏向面にて偏向された光束の主走査方向の光束幅をｄ、前記入射光学系からの光束が副走査断面内において前記光偏向器の偏向面に対して斜め方向から入射する角度をα、前記光偏向器の偏向面にて偏向された光束の主走査断面内にて定義される走査角度をθ、前記結像光学系の副走査方向の横倍率をβとしたとき、
【数６】
2001215421.tif 000006
なる条件を満足することを特徴としている。
【手続補正４】
【補正対象書類名】明細書
【補正対象項目名】００２８
【補正方法】変更
【補正の内容】
【００２８】
請求項３の発明は請求項１又は２の発明において、前記結像光学系を構成するレンズ面のうち少なくとも１つのレンズ面の副走査断面内における光軸は、有効走査領域の中心位置に向かう前記偏向面で反射偏向された光束の中心軸に対して副走査方向にシフトして配置されていることを特徴としている。
【手続補正５】
【補正対象書類名】明細書
【補正対象項目名】００２９
【補正方法】変更
【補正の内容】
【００２９】
請求項４の発明は請求項１乃至３のいずれか１項の発明において、
前記結像光学系を構成するレンズ面のうち少なくとも１つのレンズ面の副走査断面内における光軸は、有効走査領域の中心位置に向かう前記偏向面で反射偏向された光束の中心軸に対して副走査方向に傾いて配置されていることを特徴としている。
【手続補正６】
【補正対象書類名】明細書
【補正対象項目名】００３０
【補正方法】変更
【補正の内容】
【００３０】
請求項５の発明は請求項１乃至４のいずれか１項の発明において、前記結像光学系を構成するレンズ面のうち少なくとも１つのレンズ面の副走査断面内の曲率半径が前記結像光学系の光軸から主走査方向に離れるに従って連続的に変化していることを特徴としている。
【手続補正７】
【補正対象書類名】明細書
【補正対象項目名】００３１
【補正方法】変更
【補正の内容】
【００３１】
請求項６の発明は請求項１乃至５のいずれか１項の発明において、前記光源手段は、複数の光束を出射する複数の発光部を有することを特徴としている。
【手続補正８】
【補正対象書類名】明細書
【補正対象項目名】００３２
【補正方法】変更
【補正の内容】
【００３２】
請求項７の発明の画像形成装置は、請求項１乃至６の何れか一項記載の光走査装置と、前記光走査装置の被走査面に配置された感光ドラムと、前記感光ドラム上を光束が走査することによって形成された静電潜像をトナー像として現像する現像手段と、前記現像されたトナー像を用紙に転写する転写手段と、転写されたトナー像を用紙に定着させる定着手段と、を備えたことを特徴としている。
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】削除
【補正の内容】
【手続補正２０】
【補正対象書類名】明細書
【補正対象項目名】００４４
【補正方法】削除
【補正の内容】
【手続補正２１】
【補正対象書類名】明細書
【補正対象項目名】００４５
【補正方法】削除
【補正の内容】
【手続補正２２】
【補正対象書類名】明細書
【補正対象項目名】００４６
【補正方法】削除
【補正の内容】
【手続補正２３】
【補正対象書類名】明細書
【補正対象項目名】００４７
【補正方法】削除
【補正の内容】
【手続補正２４】
【補正対象書類名】明細書
【補正対象項目名】００４８
【補正方法】削除
【補正の内容】
【手続補正２５】
【補正対象書類名】明細書
【補正対象項目名】００４９
【補正方法】削除
【補正の内容】
【手続補正２６】
【補正対象書類名】明細書
【補正対象項目名】００５０
【補正方法】削除
【補正の内容】
【手続補正２７】
【補正対象書類名】明細書
【補正対象項目名】００５１
【補正方法】削除
【補正の内容】
【手続補正２８】
【補正対象書類名】明細書
【補正対象項目名】００５２
【補正方法】削除
【補正の内容】
【手続補正２９】
【補正対象書類名】明細書
【補正対象項目名】００５３
【補正方法】削除
【補正の内容】
【手続補正３０】
【補正対象書類名】明細書
【補正対象項目名】００５４
【補正方法】削除
【補正の内容】
【手続補正３１】
【補正対象書類名】明細書
【補正対象項目名】００５５
【補正方法】削除
【補正の内容】
【手続補正３２】
【補正対象書類名】明細書
【補正対象項目名】００５６
【補正方法】削除
【補正の内容】
【手続補正３３】
【補正対象書類名】明細書
【補正対象項目名】００５７
【補正方法】削除
【補正の内容】
【手続補正３４】
【補正対象書類名】明細書
【補正対象項目名】００５８
【補正方法】削除
【補正の内容】
【手続補正３５】
【補正対象書類名】明細書
【補正対象項目名】００５９
【補正方法】削除
【補正の内容】
【手続補正３６】
【補正対象書類名】明細書
【補正対象項目名】００６０
【補正方法】削除
【補正の内容】
【手続補正３７】
【補正対象書類名】明細書
【補正対象項目名】００６１
【補正方法】削除
【補正の内容】
【手続補正３８】
【補正対象書類名】明細書
【補正対象項目名】００６２
【補正方法】削除
【補正の内容】
【手続補正３９】
【補正対象書類名】明細書
【補正対象項目名】００６３
【補正方法】削除
【補正の内容】
【手続補正４０】
【補正対象書類名】明細書
【補正対象項目名】００６４
【補正方法】削除
【補正の内容】
【手続補正４１】
【補正対象書類名】明細書
【補正対象項目名】００６５
【補正方法】削除
【補正の内容】
【手続補正４２】
【補正対象書類名】明細書
【補正対象項目名】００６６
【補正方法】削除
【補正の内容】
【手続補正４３】
【補正対象書類名】明細書
【補正対象項目名】００６７
【補正方法】削除
【補正の内容】
【手続補正４４】
【補正対象書類名】明細書
【補正対象項目名】００６８
【補正方法】削除
【補正の内容】
【手続補正４５】
【補正対象書類名】明細書
【補正対象項目名】００６９
【補正方法】削除
【補正の内容】
【手続補正４６】
【補正対象書類名】明細書
【補正対象項目名】００７０
【補正方法】削除
【補正の内容】
【手続補正４７】
【補正対象書類名】明細書
【補正対象項目名】００７１
【補正方法】削除
【補正の内容】
【手続補正４８】
【補正対象書類名】明細書
【補正対象項目名】００７２
【補正方法】削除
【補正の内容】
【手続補正４９】
【補正対象書類名】明細書
【補正対象項目名】００７３
【補正方法】削除
【補正の内容】
【手続補正５０】
【補正対象書類名】明細書
【補正対象項目名】００７４
【補正方法】削除
【補正の内容】
【手続補正５１】
【補正対象書類名】明細書
【補正対象項目名】００７５
【補正方法】削除
【補正の内容】
【手続補正５２】
【補正対象書類名】明細書
【補正対象項目名】００７６
【補正方法】削除
【補正の内容】
【手続補正５３】
【補正対象書類名】明細書
【補正対象項目名】００７７
【補正方法】削除
【補正の内容】
【手続補正５４】
【補正対象書類名】明細書
【補正対象項目名】００７８
【補正方法】削除
【補正の内容】
【手続補正５５】
【補正対象書類名】明細書
【補正対象項目名】００７９
【補正方法】削除
【補正の内容】